(57)【要約】【課題】トランスミッタシステム、高周波モジュールおよび無線装置を提供する。【解決手段】高調波漏れを減少させるためのスイッチを有する無線トランシーバが本願明細書に開示される。いくつかの実施形態において、トランスミッタシステムは、第１のセルラー周波数帯において信号を増幅するように構成された第１のパワーアンプおよび第２のセルラー周波数帯において信号を増幅するように構成された第２のパワーアンプを含むパワーアンプシステムを含む。トランスミッタは、第２のパワーアンプの出力と接地電位との間に結合されたスイッチを含む。トランスミッタは、帯域選択信号に基づいて、スイッチを制御し、かつ前記第１のパワーアンプおよび前記第２のパワーアンプを有効にするかまたは無効にするように構成されたコントローラを含む。【選択図】図２
2020039173.tif 000002
【特許請求の範囲】
【請求項１】
トランスミッタシステムであって、
第１のセルラー周波数帯において信号を増幅するように構成された第１のパワーアンプおよび第２のセルラー周波数帯において信号を増幅するように構成された第２のパワーアンプを含むパワーアンプシステムと、
前記第２のパワーアンプの出力と接地電位との間に結合されたスイッチと、
帯域選択信号に基づいて、前記スイッチを制御し、かつ前記第１のパワーアンプおよび前記第２のパワーアンプを有効にするかまたは無効にするように構成されたコントローラとを備える、トランスミッタシステム。
【請求項２】
前記コントローラは、前記帯域選択信号が前記第２のセルラー周波数帯を送信帯として示すことに応答して前記スイッチを開くように構成される、請求項１に記載のトランスミッタシステム。
【請求項３】
前記コントローラは、前記帯域選択信号が前記第２のセルラー周波数帯を送信帯ではなく受信帯として示すことに応答して前記スイッチを閉じるように構成される、請求項１に記載のトランスミッタシステム。
【請求項４】
前記コントローラは、前記帯域選択信号に基づいて前記パワーアンプシステムの帯域選択スイッチを制御するように構成される、請求項１に記載のトランスミッタシステム。
【請求項５】
前記スイッチおよび前記帯域選択スイッチは、スイッチングモジュールに一体化される、請求項４に記載のトランスミッタシステム。
【請求項６】
前記スイッチングモジュールは単一のチップを含む、請求項５に記載のトランスミッタシステム。
【請求項７】
前記スイッチは、前記帯域選択スイッチの出力と前記スイッチングモジュールの接地端子との間に結合される、請求項６に記載のトランスミッタシステム。
【請求項８】
前記スイッチは、前記スイッチングモジュールのシャント入力端子と前記スイッチングモジュールの接地端子との間に結合される、請求項６に記載のトランスミッタシステム。
【請求項９】
前記第１のセルラー周波数帯の高調波は、前記第２のセルラー周波数帯内にある、請求項１に記載のトランスミッタシステム。
【請求項１０】
前記第１のセルラー周波数帯はユニバーサル・モバイル・テレコミュニケーションズ・システム（ＵＭＴＳ）バンド１７を含み、前記第２のセルラー周波数帯はＵＭＴＳバンド４を含む、請求項１に記載のトランスミッタシステム。
【請求項１１】
前記第１のセルラー周波数帯はユニバーサル・モバイル・テレコミュニケーションズ・システム（ＵＭＴＳ）バンド１７を含み、前記第２のセルラー周波数帯はグローバルシステム・フォー・モバイル・コミュニケーションズ（ＧＳＭ）バンド１９００を含む、請求項１に記載のトランスミッタシステム。
【請求項１２】
高周波（ＲＦ）モジュールであって、
複数のコンポーネントを収容するように構成されたパッケージング基板と、
前記パッケージング基板上に実装されたトランスミッタシステムとを備え、前記トランスミッタシステムは、第１のセルラー周波数帯において信号を増幅するように構成された
第１のパワーアンプおよび第２のセルラー周波数帯において信号を増幅するように構成された第２のパワーアンプを含むパワーアンプシステムと、前記第２のパワーアンプの出力と接地電位との間に結合されたスイッチと、帯域選択信号に基づいて、前記スイッチを制御し、かつ前記第１のパワーアンプおよび前記第２のパワーアンプを有効にするかまたは無効にするように構成されたコントローラとを含む、ＲＦモジュール。
【請求項１３】
前記ＲＦモジュールはフロントエンドモジュール（ＦＥＭ）である、請求項１２に記載のＲＦモジュール。
【請求項１４】
前記コントローラは、前記帯域選択信号が前記第２のセルラー周波数帯を送信帯ではなく受信帯として示すことに応答して前記スイッチを閉じるように構成される、請求項１２に記載のＲＦモジュール。
【請求項１５】
前記第１のパワーアンプおよび前記第２のパワーアンプは別個のチップで実装される、請求項１２に記載のＲＦモジュール。
【請求項１６】
前記別個のチップは、前記ＲＦモジュールの別個のダイアタッチ接地パッドに結合される、請求項１５に記載のＲＦモジュール。
【請求項１７】
前記第１のパワーアンプの出力に結合された前記ＲＦモジュールの第１の出力端子と、前記第２のパワーアンプの出力に結合された第２の出力端子とは、空間的に離間される、請求項１２に記載のＲＦモジュール。
【請求項１８】
無線装置であって、
高周波（ＲＦ）信号を生成するように構成されたトランシーバと、
前記トランシーバと通信するフロントエンドモジュール（ＦＥＭ）とを備え、前記ＦＥＭは、複数のコンポーネントを収容するように構成されたパッケージング基板を含み、前記ＦＥＭはさらに、前記パッケージング基板上に実装されたトランスミッタシステムを含み、前記トランスミッタシステムは、第１のセルラー周波数帯において信号を増幅するように構成された第１のパワーアンプおよび第２のセルラー周波数帯において信号を増幅するように構成された第２のパワーアンプを含むパワーアンプシステムと、前記第２のパワーアンプの出力と接地電位との間に結合されたスイッチと、帯域選択信号に基づいて、前記スイッチを制御し、かつ前記第１のパワーアンプおよび前記第２のパワーアンプを有効にするかまたは無効にするように構成されたコントローラとを含み、前記無線装置はさらに、
前記ＦＥＭと通信するアンテナを備え、前記アンテナは、前記トランスミッタシステムから受信した信号を増幅した信号を送信するように構成される、無線装置。
【請求項１９】
前記コントローラは、前記帯域選択信号が前記第２のセルラー周波数帯を送信帯ではなく受信帯として示すことに応答して前記スイッチを閉じるように構成される、請求項１８に記載の無線装置。
【請求項２０】
前記第１のセルラー周波数帯の高調波は、前記第２のセルラー周波数帯内にある、請求項１８に記載の無線装置。
【発明の詳細な説明】
【技術分野】
【０００１】
発明の詳細な説明
関連する出願の相互参照
本願は、２０１５年７月２２日に提出され、「高調波漏れを減少させるためのスイッチを有する無線トランシーバ」と題された米国仮出願番号第６２／１９５，３８７号の優先権を主張する。その開示の全体を、引用によって本明細書において明白に援用する。
【０００２】
背景
分野
本開示は、複数の無線通信周波数帯を送信しかつ受信するように構成されたトランシーバシステムに関する。
【背景技術】
【０００３】
関連技術の説明
携帯電話などのいくつかの無線装置では、データを送信および／または受信するために２つ以上のセルラープロトコルがサポートされ得る。それぞれのプロトコルは専用の送信経路を用いて送信され、専用の受信経路を用いて受信され得る。各経路は、好適なアンプおよび／またはフィルタリングコンポーネントを有し、経路は、１本以上のアンテナに結合される。
【発明の概要】
【課題を解決するための手段】
【０００４】
概要
多くの実装例によれば、本開示は、第１のセルラー周波数帯において信号を増幅するように構成された第１のパワーアンプおよび第２のセルラー周波数帯において信号を増幅するように構成された第２のパワーアンプを含むパワーアンプシステムを含むことができるトランスミッタシステムに関する。トランスミッタシステムは、第２のパワーアンプの出力と接地電位との間に結合されたスイッチを含むことができる。トランスミッタは、帯域選択信号に基づいて、スイッチを制御し、第１のパワーアンプおよび第２のパワーアンプを有効にするかまたは無効にするように構成されたコントローラを含むことができる。
【０００５】
いくつかの実施形態において、コントローラは、帯域選択信号が第２のセルラー周波数帯を送信帯として示すことに応答してスイッチを開くように構成される。いくつかの実施形態において、コントローラは、帯域選択信号が第２のセルラー周波数帯を送信帯ではなく受信帯として示すことに応答してスイッチを閉じるように構成される。
【０００６】
いくつかの実施形態において、コントローラは、帯域選択信号に基づいてパワーアンプシステムの帯域選択スイッチを制御するように構成される。いくつかの実施形態において、スイッチおよび帯域選択スイッチはスイッチングモジュールに一体化される。いくつかの実施形態において、スイッチングモジュールは単一のチップを含む。いくつかの実施形態において、スイッチは、帯域選択スイッチの出力とスイッチングモジュールの接地端子との間に結合される。いくつかの実施形態において、スイッチは、スイッチングモジュールのシャント入力端子とスイッチングモジュールの接地端子との間に結合される。
【０００７】
いくつかの実施形態において、第１のセルラー周波数帯の高調波は第２のセルラー周波数帯内にある。いくつかの実施形態において、第１のセルラー周波数帯はユニバーサル・モバイル・テレコミュニケーションズ・システム（ＵＭＴＳ）バンド１７を含み、第２の
セルラー周波数帯はＵＭＴＳバンド４を含む。いくつかの実施形態において、第１のセルラー周波数帯はユニバーサル・モバイル・テレコミュニケーションズ・システム（ＵＭＴＳ）バンド１７を含み、第２のセルラー周波数帯はグローバルシステム・フォー・モバイルコミュニケーションズ（Global System for Mobile Communications（ＧＳＭ（登録商
標）））バンド１９００を含む。
【０００８】
多くの実装例において、本開示は、複数のコンポーネントを収容するように構成されたパッケージング基板を含むことができる高周波（radio frequency）（ＲＦ）モジュール
に関する。モジュールは、パッケージング基板上に実装されたトランスミッタシステムを含むことができ、トランスミッタシステムは、第１のセルラー周波数帯において信号を増幅するように構成された第１のパワーアンプおよび第２のセルラー周波数帯において信号を増幅するように構成された第２のパワーアンプを含むパワーアンプシステムと、第２のパワーアンプの出力と接地電位との間に結合されたスイッチと、帯域選択信号に基づいてスイッチを制御し、かつ第１のパワーアンプおよび第２のパワーアンプを有効にするかまたは無効にするように構成されたコントローラとを含むことができる。
【０００９】
いくつかの実施形態において、ＲＦモジュールはフロントエンドモジュール（ＦＥＭ）である。いくつかの実施形態において、コントローラは、帯域選択信号が第２のセルラー周波数帯を送信帯ではなく受信帯として示すことに応答してスイッチを閉じるように構成される。
【００１０】
いくつかの実施形態において、第１のパワーアンプおよび第２のパワーアンプは別個のチップで実装される。いくつかの実施形態において、別個のチップはＲＦモジュールの別個のダイアタッチ接地パッドに結合される。
【００１１】
いくつかの実施形態において、第１のパワーアンプの出力に結合されたＲＦモジュールの第１の出力端子と、第２のパワーアンプの出力に結合された第２の出力端子とは、空間的に離間される。
【００１２】
いくつかの実装例によれば、本開示は、高周波（ＲＦ）信号を生成するように構成されたトランシーバを含むことができる無線装置に関する。無線装置は、トランシーバと通信するフロントエンドモジュール（ＦＥＭ）を含むことができ、ＦＥＭは、複数のコンポーネントを収容するように構成されたパッケージング基板を含み、ＦＥＭはさらに、パッケージング基板上に実装されたトランスミッタシステムを含み、トランスミッタシステムは、第１のセルラー周波数帯において信号を増幅するように構成された第１のパワーアンプおよび第２のセルラー周波数帯において信号を増幅するように構成された第２のパワーアンプを含むパワーアンプシステムと、第２のパワーアンプの出力と接地電位との間に結合されたスイッチと、帯域選択信号に基づいて、スイッチを制御し、かつ第１のパワーアンプおよび第２のパワーアンプを有効にするかまたは無効にするように構成されたコントローラとを含む。無線装置は、ＦＥＭと通信するアンテナを含むことができ、アンテナは、トランスミッタシステムから受信した信号を増幅した信号を送信するように構成される。
【００１３】
いくつかの実施形態において、コントローラは、帯域選択信号が第２のセルラー周波数帯を送信帯ではなく受信帯として示すことに応答してスイッチを閉じるように構成される。いくつかの実施形態において、第１のセルラー周波数帯の高調波は、第２のセルラー周波数帯内にある。
【００１４】
開示を要約する目的のために、本発明のある局面、利点および新しい特徴が本願明細書に記載されている。任意の特定の実施形態によればそのような利点のすべてが必ずしも実現されない場合があることが理解されるべきである。したがって本発明は、本願明細書に
おいて教示または提案され得る他の利点を必ずしも実現させることなく、本願明細書において教示される１つの利点または利点のグループを実現するかまたは最適化するやり方で具体化または実行され得る。
【図面の簡単な説明】
【００１５】
【図１】高調波漏れを減少させるためのスイッチを含む無線通信構成例を例示する図である。
【図２】スイッチおよびスイッチコントローラを含む無線通信構成例を例示する図である。
【図３】パッケージング基板上に実装されたパワーアンプモジュールを含む無線通信構成例を例示し、高調波漏れを減少させるためにコントローラによって制御されるスイッチをモジュールが含む図である。
【図４】複数の組のセルラー周波数帯をサポートするパワーアンプモジュールを含む無線通信構成例を例示する図である。
【図５】複数のセルラープロトコルをサポートするマルチモードパワーアンプモジュールを含む無線通信構成例を例示する図である。
【図６】高調波漏れを減少させるためのスイッチングモジュールを有するマルチモードパワーアンプモジュールを含む無線通信構成例を例示する図である。
【図７】本願明細書に記載される１つ以上の特徴を有する無線通信構成を完全にまたは部分的にモジュールに実装することができることを例示する図である。
【図８】本願明細書に記載される１つ以上の有利な特徴を有する無線装置例を例示する図である。
【発明を実施するための形態】
【００１６】
いくつかの実施形態の詳細な説明
ここに見出しが提供される場合、それらは単なる便宜上のものであり、請求項に記載の発明の範囲または意味に必ずしも影響を与えない。
【００１７】
携帯電話などの多くの無線装置は、複数のセルラープロトコルおよび／または複数のセルラー周波数帯をサポートするように構成される。無線データのスループットを向上させるために、複数のセルラー周波数帯を同時に使用してデータを送信および／または受信するキャリアアグリゲーションを採用する無線装置がある。いくつかの実装例では、単一のセルラー周波数帯が送信に使用され、複数のセルラー周波数帯が受信に使用される。例として、無線装置は、第１のセルラー周波数帯（たとえばＵＭＴＳバンド１７）で送信し、第１のセルラー周波数帯および第２のセルラー周波数帯（たとえばＵＭＴＳバンド１７および４）の両方で受信し得る。
【００１８】
いくつかの実装例では、第１のセルラー周波数帯（たとえばＵＭＴＳバンド１７）の第３の高調波は第２のセルラー周波数帯（たとえばＵＭＴＳバンド４）の受信周波数範囲内にあるため、第２のセルラー周波数帯（たとえばＵＭＴＳバンド４）での受信が劣化する可能性がある。したがって、いくつかの実装例では、無線装置は、活発な送信信号経路における高調波歪みを減少させるかまたは最小化し、かつ他の経路へのこの信号の漏れを阻止するかまたは防ぐように設計され、かつ／または構成される。
【００１９】
いくつかの実施形態では、第１のセルラー周波数帯（たとえばＵＭＴＳバンド１７）をサポートするパワーアンプおよび第２のセルラー周波数帯（たとえばＵＭＴＳバンド４）をサポートするパワーアンプは、２つの増幅経路間の望ましくない結合を防ぐよう回路基板設計およびレイアウトに留意して別個のパッケージに収容される。しかしながら、そのような手法は費用の増大および外形寸法の大型化につながり得る。
【００２０】
とりわけ、キャリアアグリゲーション通信システムに伴う前述の課題に対処するように構成されることができる回路、装置および方法の様々な例が本願明細書に開示される。本願明細書に記載されるいくつかの実装例では、高調波漏れ減少スイッチは無線装置のパワーアンプシステム内に実装され、高調波漏れを減少させるように制御される（たとえば開閉される）。
【００２１】
図１は、高調波漏れを減少させるためのスイッチ１３６を含む無線通信構成例１００を概略的に示す。無線通信構成１００はさらに、トランシーバシステム１３０、多重システム１０１、および１本以上のアンテナ１１５，１２５を含む。
【００２２】
多重システム１０１は、トランシーバシステム１３０の対応する出力から受信した信号をアンテナ１１５，１２５に提供する。同様に、多重システム１０１は、アンテナ１１５，１２５を介して受信した信号をトランシーバシステム１３０の対応する入力に提供する。そのため、多重システム１０１はスイッチ、デュプレクサおよび他のコンポーネントを含み得る。
【００２３】
トランシーバシステム１３０は、アンテナ１１５，１２５を介した送信のためにデジタルデータ信号を高周波（ＲＦ）信号に変換するトランスミッタシステム１３２を含む。そのため、トランスミッタシステム１３２は、ベースバンドシステム、局部発振器を含むモジュレータ、デジタル−アナログ変換器、パワーアンプ、および他のコンポーネントを含み得る。トランシーバシステム１３０は、受信信号をデジタルデータ信号に変換するレシーバシステム１３４をさらに含む。そのため、レシーバシステム１３４は、低ノイズアンプ（low-noise amplifier）（ＬＮＡ）、局部発振器を含む復調器、アナログ−デジタル
変換器、ベースバンドシステム、および他のコンポーネントを含み得る。
【００２４】
トランスミッタシステム１３２は、（入力において受信されたデジタルデータ信号に基づいて）１組のセルラー周波数帯のうち１つ以上においてそれぞれの出力を介して信号を送信するように構成される。たとえば、トランスミッタシステム１３２は、第１のセルラー周波数帯では第１の出力を介して、第２のセルラー周波数帯では第２の出力を介して、または両方において、信号を送信し得る。同様に、レシーバシステム１３４は、１組のセルラー周波数帯のうち１つ以上においてそれぞれの入力を介して信号を受信し、かつ受信信号に基づいてデジタルデータ信号を生成するように構成される。たとえば、レシーバシステム１３４は、第１のセルラー周波数帯では第１の出力を介して、第２のセルラー周波数帯では第２の出力を介して、または両方において、信号を受信し得る。図１は、２つの出力を有するトランスミッタシステム１３２および２つの入力を有するレシーバシステム１３４を示すが、トランスミッタシステム１３２およびレシーバシステム１３４が追加的なセルラー周波数帯のための追加的な出力および／または入力を有し得ることが認識されるべきである。
【００２５】
トランスミッタシステム１３２およびレシーバシステム１３４が動作するセルラー周波数帯は、１つ以上の送信帯および１つ以上の受信帯を示す帯域選択信号によって設定され得る。いくつかの実装例では、帯域選択信号は送信帯および受信帯として単一のセルラー周波数帯を示し、シングルバンド通信と称され得る。
【００２６】
いくつかの実装例では、帯域選択信号は、送信帯として複数のセルラー周波数帯（アップリンクキャリアアグリゲーション通信と称する）および／または受信帯として複数のセルラー周波数帯（ダウンリンクキャリアアグリゲーション通信と称する）を示す。
【００２７】
いくつかの実装例では、帯域選択信号は、送信帯として単一のセルラー周波数帯および受信帯として複数のセルラー周波数帯を、たとえば、アップリンクシングルバンド通信お
よびダウンリンクキャリアアグリゲーション通信を示す。たとえば、帯域選択信号は、送信帯として第１のセルラー周波数帯を、受信帯として第１のセルラー周波数帯および第２のセルラー周波数帯の両方を示し得る。したがって、トランスミッタシステム１３２は、第１のセルラー周波数帯における信号を第１の出力を介して送信し、レシーバシステム１３４は、第１のセルラー周波数帯および第２のセルラー周波数帯における信号を第１の入力端子および第２の入力端子を介してそれぞれ受信し得る。
【００２８】
いくつかの実装例では、トランスミッタシステム１３２は、第２のセルラー周波数帯における信号を意図せずに第２の出力を介して送信し得る。たとえば、トランスミッタシステム１３２内の高調波カップリングは、第１のセルラー周波数帯において送信された信号の、より高い周波数コピーの第２のセルラー周波数帯における送信をもたらし得る。他の状況は、スプリアス信号および相互変調積などの、第２のセルラー周波数帯における第２の出力を介した意図しない信号の送信につながり得る。トランスミッタシステム１３２によって第２の出力端子を介して送信されるこの意図しない信号は、多重システム１０１を伝播し、レシーバシステム１３４の第２の入力端子において受信され得、ノイズとして出現し、レシーバシステム１３４によって第２の入力において受信されることが意図される信号を劣化させる。
【００２９】
したがって、無線通信構成１００は、接地電位に第２の出力を結合するスイッチ１３６を含む。スイッチが閉じられている時、意図しない信号は、レシーバシステム１３４の第２の入力ではなく接地にルーティングされる。
【００３０】
スイッチ１３６は、帯域選択信号に基づいて開閉され得る。帯域選択信号が第２のセルラー周波数帯を送信帯として示す場合、スイッチ１３６が開かれ、トランスミッタシステム１３２の第２の出力からの意図される信号が、多重システム１０１に伝播され、アンテナ１１５，１２５の一方を介して送信されることが可能となる。帯域選択信号が送信帯ではなく受信帯として第２のセルラー周波数帯を示す場合、スイッチ１３６は閉じられ、トランスミッタシステム１３２の第２の出力からの任意の意図しない信号を多重システム１０１ではなく接地に、かつ場合によってはレシーバシステム１３４の第２の入力にルーティングする。帯域選択信号が第２のセルラー周波数を送信帯または受信帯として示さない場合、スイッチ１３６は開かれても閉じられてもよい。
【００３１】
図２は、いくつかの実施形態において、無線通信構成２００がスイッチコントローラ２２０を含むことを示す。無線通信構成２００はさらに、パワーアンプシステム２３０、多重システム２０１、第１のアンテナ１１５、および第２のアンテナ１２５を含む。（図１のトランスミッタシステム１３２などのトランスミッタシステムの一部として実装され得る）パワーアンプシステム２３０は、パワーアンプコントローラ２１０によって制御される第１のパワーアンプ２１１および第２のパワーアンプ２１２を含む。各パワーアンプ２１１，２１２は、パワーアンプコントローラ２１０によって有効にされると、パワーアンプの入力において受信した信号を増幅した信号をパワーアンプの出力において提供するように構成される。パワーアンプコントローラ２１０は、受信した帯域選択信号に基づいてパワーアンプ２１１，２１２を選択的に有効にしかつ／または無効にするように構成される。
【００３２】
いくつかの実装例では、第１のパワーアンプ２１１は、第１のセルラー周波数帯において信号を増幅するように構成され、第２のパワーアンプ２１２は、第２のセルラー周波数帯において信号を増幅するように構成される。たとえば、第１のセルラー周波数帯は、７０４メガヘルツ（ＭＨｚ）と７４６ＭＨｚとの間のユニバーサル・モバイル・テレコミュニケーションズ・システム（ＵＭＴＳ）バンド１７であり得、第２のセルラー周波数帯は、１７１０ＭＨｚと２１５５ＭＨｚとの間のＵＭＴＳバンド４であり得る。各セルラー周
波数帯は、アップリンク周波数サブバンドおよびダウンリンク周波数サブバンドを含み得る。たとえば、第１のセルラー周波数帯は、７０４ＭＨｚと７１６ＭＨｚとの間のアップリンク周波数サブバンド、および７３４ＭＨｚと７４６ＭＨｚとの間のダウンリンク周波数サブバンドを含み得る。同様に、第２のセルラー周波数帯は、１７１０ＭＨｚと１７５５ＭＨｚとの間のアップリンク周波数サブバンド、および２１１０ＭＨｚと２１５５ＭＨｚとの間のダウンリンク周波数サブバンドを含み得る。以下で表１に記載されるものなどの他のセルラー周波数帯、または他の非ＵＭＴＳセルラー周波数帯を使用してもよい。
【００３３】
第１の例として、帯域選択信号は、送信帯として第１のセルラー周波数帯を、受信帯として第１のセルラー周波数帯および第２のセルラー周波数帯の両方を示し得る。したがって、第１のセルラー周波数帯における第１の受信信号は、第１のアンテナ１１５において受信され、多重システム２０１によって受信システム（図示せず）の第１の入力にルーティングされる。また、第２のセルラー周波数帯における第２の受信信号は、第２のアンテナ１２５において受信され、多重システム２０１によって受信システムの第２の入力にルーティングされる。
【００３４】
同時に、帯域選択信号に応答して、パワーアンプコントローラ２１０は第１のパワーアンプ２１１を有効にし、第２のパワーアンプ２１２を無効にする。第１のセルラー周波数帯における送信信号は、（第１のパワーアンプ２１１の入力に結合された）パワーアンプシステム２３０の第１の入力において受信され、送信信号を増幅した信号は、（第１のパワーアンプ２１１の出力に結合された）パワーアンプシステム２３０の第１の出力を介して送信される。送信信号を増幅した信号は、多重システム２０１によって第１のアンテナ１１５にルーティングされ、送信される。多重システム２０１は、第１のデュプレクサ２５１および第２のデュプレクサ２５２を用いて上記のように信号をルーティングすることができる。
【００３５】
上記のように、第２のセルラー周波数帯における意図しない信号は、（第２のパワーアンプ２１２の出力に結合された）パワーアンプシステム２３０の第２の出力を介して送信され得る。いくつかの実装例では、第１のパワーアンプ２１１は完全に線形でなくてもよく、送信信号を増幅した信号に加えて、第１のセルラー周波数帯の倍数において送信信号の高調波コピーを出力し得る。（高調波コピーを含む）第１のパワーアンプ２１１の出力は、経路２９９に従ってパワーアンプシステム２３０の他のコンポーネントと結合し、パワーアンプシステム２３０の第２の出力から漏れ出し得る。漏れ信号は、さらに経路２９９に従って、多重システム２０１に伝播し、第２のデュプレクサ２５２を通って受信システム（図示せず）の第２の入力に漏れ出し得る。したがって、第１のセルラー周波数帯における送信信号の高調波コピーは、第２のセルラー周波数帯（またはそのダウンリンクサブバンド）内にあり得、受信システムの第２の入力においてノイズとして受信され得る。
【００３６】
したがって、無線通信構成２００は、パワーアンプシステム２３０の第２の出力を接地電位に結合するスイッチ２２１を含む。スイッチ２２１は、帯域選択信号に基づいてスイッチ２２１を開くかまたは閉じるスイッチコントローラ２２０によって制御される。帯域選択信号が第２のセルラー周波数帯を送信帯ではなく受信帯として示す場合、スイッチコントローラ２２０は、スイッチ２２１を閉じ、パワーアンプシステム２３０の第２の出力からの任意の意図しない信号を、レシーバシステムの第２の入力ではなく接地にルーティングする。
【００３７】
第２の例として、帯域選択信号は、第２のセルラー周波数帯を送信帯として、受信帯として第２のセルラー周波数帯を示し得る。したがって、第２のセルラー周波数帯における受信信号は第２のアンテナ１２５において受信され、多重システム２０１によって受信システムの第２の入力にルーティングされる。
【００３８】
同時に、帯域選択信号に応答して、ＰＡコントローラ２１０は第１のパワーアンプ２１１を無効にし、第２のパワーアンプ２１２を有効にする。第２のセルラー周波数帯における送信信号は、（第２のパワーアンプ２１２の入力に結合された）パワーアンプシステム２３０の第２の入力において受信され、送信信号を増幅した信号は、（第２のパワーアンプ２１２の出力に結合された）パワーアンプシステム２３０の第２の出力を介して送信される。送信信号を増幅した信号は、多重システム２０１によって第２のアンテナ１２５にルーティングされ、送信される。
【００３９】
スイッチ２２１が閉じられている場合、増幅された送信信号は、多重システム２０１ではなく接地にルーティングされることになる。したがって、帯域選択信号が第２のセルラー周波数帯を送信帯として示す場合、スイッチコントローラ２２０はスイッチ２２１を開く。
【００４０】
一般に、スイッチコントローラ２２０は、帯域選択信号に基づいてスイッチ２２１を制御する。帯域選択信号が第２のセルラー周波数帯を送信帯として示す場合、スイッチコントローラ２２０はスイッチ２２１を開き、パワーアンプシステム２３０の第２の出力からの意図される信号が多重システム２０１に伝播され、かつ第２のアンテナ１２５を介して送信されることを可能にする。帯域選択信号が第２のセルラー周波数帯を送信帯ではなく受信帯として示す場合、スイッチコントローラ２２０はスイッチ２２１を閉じ、パワーアンプシステム２３０の第２の出力からの任意の意図しない信号を、多重システム２０１ではなく接地に、場合によってはレシーバシステムの第２の入力にルーティングする。帯域選択信号が第２のセルラー周波数を送信帯または受信帯として示さない場合、スイッチコントローラ２２０は、スイッチを開くかまたはスイッチ２２１を閉じ得る。
【００４１】
図３は、いくつかの実施形態において、無線通信構成３００が高調波漏れを減少させるためのスイッチ３２１を有するパワーアンプモジュール３３０を含むことを示す。無線通信構成３００は、図２を参照して上記したように、多重システム２０１およびアンテナ１１５，１２５をさらに含む。
【００４２】
（図１のトランスミッタシステム１３２などのトランスミッタシステムの一部として実装され得る）パワーアンプモジュール３３０は、パッケージング基板３０１上に実装された複数のコンポーネントおよびパワーアンプシステムを収容するように構成されたパッケージング基板３０１を含む。パワーアンプシステムは、パッケージング基板３０１上に実装された第１のアンプ２１１および第２のアンプ２１２を含む。いくつかの実装例では、第１のアンプ２１１および第２のアンプ２１２は、別個のチップでパッケージング基板３０１上に実装される。さらに、いくつかの実装例では、別個のチップは、パワーアンプモジュール３３０内の共通のダイアタッチ接地パッドを共有しない。たとえば、別個のチップは結合されて、パワーアンプモジュール３３０のダイアタッチ接地パッドを離間させる。いくつかの実装例では、第１のアンプ２１１および第２のアンプ２１２の出力にそれぞれ結合されたパワーアンプモジュール３３０の出力端子は、空間的に離間される。たとえば、出力端子は他の出力によって離間され、モジュールの反対側に配置されるか、または他の方法で離間される。いくつかの実装例では、出力端子は最大空間間隔を有する。
【００４３】
パワーアンプシステムはさらに、パッケージング基板３０１上に実装されたスイッチ３２１を含む。スイッチ３２１は、第２のアンプ２１２の出力と、接地電位に結合されるパワーアンプモジュール３３０の接地端子との間に結合される。
【００４４】
パワーアンプシステムはさらに、パッケージング基板３１０上に実装されたコントローラ３１０を含む。コントローラ３１０は、帯域選択信号を受信し、かつ帯域選択信号に基
づいて適切なパワーアンプ２１１，２１２を選択的に有効にしかつ／または無効にするように構成される。コントローラ３１０はさらに、帯域選択信号に基づいてスイッチ３２１を制御するように構成される。たとえば、いくつかの実装例では、コントローラ３１０は、帯域選択信号が第２のセルラー周波数帯を送信帯として示すことに応答してスイッチ３２１を開き、かつ帯域選択信号が第２のセルラー周波数帯を送信帯ではなく受信帯として示すことに応答してスイッチ３２１を閉じるように構成される。
【００４５】
スイッチ３２１は閉位置において第２のアンプ２１２の出力を接地電位に結合するシャントスイッチとして図３（および本願明細書におけるその他の場所）に例示されるが、スイッチ３２１は、開位置においてパワーアンプモジュールの対応する出力端子から第２のアンプ２１２の出力を切り離す直列スイッチとして代替的に（または追加的に）実装され得ることが認識されるべきである。したがって、シャントスイッチとして本願明細書に記載されるスイッチの各々は、同じ場所においてかつ反対の開／閉構成で直列スイッチと置換され（または補助され）され得る。
【００４６】
図４は、いくつかの実施形態において、無線通信構成４００が複数の組のセルラー周波数帯をサポートするパワーアンプモジュール４３０を含むことを示す。無線通信構成４００はさらに、多重システム４１０、第１のアンテナ１１５、および第２のアンテナ１２５を含む。
【００４７】
（図１のトランスミッタシステム１３２などのトランスミッタシステムの一部として実装され得る）パワーアンプモジュール４３０は、パッケージング基板４０１上に実装された複数のコンポーネントおよびパワーアンプシステムを収容するように構成されたパッケージング基板４０１を含む。パワーアンプシステムは、コントローラ４６０によって制御される第１のパワーアンプ４３１および第２のパワーアンプ４３２を含む。各パワーアンプ４３１，４３２は、コントローラ４６０によって有効にされると、パワーアンプの入力において受信した信号を増幅した信号を、パワーアンプの出力において提供するように構成される。コントローラ４６０は、受信した帯域選択信号に基づいてパワーアンプ４３１，４３２を選択的に有効にしかつ／または無効にする。
【００４８】
いくつかの実装例では、第１のパワーアンプ４３１は、１組の低域セルラー周波数帯（たとえばおよそ１０００ＭＨｚ未満のセルラー周波数帯）などの第１の組のセルラー周波数帯のうちのいずれかにおいて信号を増幅するように構成され、第２のパワーアンプ４３２は、１組の高域セルラー周波数帯（たとえばおよそ１４００ＭＨｚ以上のセルラー周波数帯）などの第２の組のセルラー周波数帯のうちのいずれかにおいて信号を増幅するように構成される。例として、第１の組のセルラー周波数帯は、ＵＭＴＳバンド５，８および１２（または１２のサブセットである１７）のうち１つ以上を含むことができ、第２の組のセルラー周波数帯は、ＵＭＴＳバンド１，２および４のうち１つ以上を含むことができる。
【００４９】
パワーアンプシステムは、第１のパワーアンプ４３１の出力に結合された第１の帯域選択スイッチ４４１と、第２のパワーアンプ４３２の出力に結合された第２の帯域選択スイッチ４４２とを含む。帯域選択スイッチ４４１，４４２の各々は、コントローラ４６０からの信号に基づいて、すなわち、ひいては帯域選択信号に基づいて、セルラー周波数帯の組のうちの１つに対応する複数の出力のうちの１つに受信信号をルーティングする単極多投（ＳＰＭＴ）スイッチとして実装され得る。したがって、コントローラ４６０は、帯域選択信号に基づいて帯域選択スイッチ４４１，４４２の各々を制御する。
【００５０】
第１の例として、コントローラ４６０は、第１の組のセルラー周波数帯の第１の１つ（たとえばＵＭＴＳバンド５）を唯一の送信帯として示す帯域選択信号を受信し得る。これ
を受けて、コントローラ４６０は、第１のパワーアンプ４３１を有効にし、第２のパワーアンプ４３２を無効にし、第１の帯域選択スイッチ４４１を第１の位置に配置することができる。第２の例として、コントローラ４６０は、第１の組のセルラー周波数帯の第２の１つ（たとえばＵＭＴＳバンド８）と第２の組のセルラー周波数帯の第１の１つ（たとえばＵＭＴＳバンド１）とを送信帯として示す帯域選択信号を受信し得る。これを受けて、コントローラ４６０は、第１のパワーアンプ４３１を有効にし、第２のパワーアンプ４３２を有効にし、第１の帯域選択スイッチ４４１を第２の位置に配置し、第２の帯域選択スイッチ４４２を第１の位置に配置することができる。
【００５１】
多重システム４１０は同様に、パワーアンプモジュール４３０の出力をアンテナ１１５，１２５にルーティングするための第１の帯域選択スイッチ４１８および第２の帯域選択スイッチ４１９を含む。帯域選択スイッチ４１８，４１９は、帯域選択信号に基づいて、コントローラ４６０または別のコントローラによって制御され得る。多重システム４１０は、アンテナ１１５，１２５から受信システム（図示せず）に信号をルーティングするために多くのデュプレクサ４１１〜４１６も含む。
【００５２】
第２の組のセルラー周波数帯のうち１つ以上における意図しない１つ以上の信号は、第２の帯域選択スイッチ４４２に結合されるパワーアンプモジュール４３０の出力端子を介して送信され得る。いくつかの実装例では、第１のパワーアンプ４３１は、少なくとも部分的にアンプの非線形性により、送信信号を増幅した信号に加えて、送信信号のセルラー周波数帯の倍数において送信信号の高調波コピーを出力し得る。第１のパワーアンプ４３１の出力は、これらの高調波コピーをパワーアンプモジュール４３０の他のコンポーネントに結合し得、第２の帯域選択スイッチ４４２に結合されるパワーアンプモジュール４３０の出力端子のうち１つ以上において漏れ信号を生成する。これらの漏れ信号は、（たとえば経路４９１に示されるように）多重システム４１０に伝播し、多重システム４１０の第２の帯域選択スイッチ４１９に結合されたデュプレクサ４１４〜４１６のうちの１つを通って受信システムの対応する入力に漏れ出し得る。代替的または付加的に、漏れ信号は、（たとえば経路４９２に示されるように）多重システム４１０に伝播し、多重システム４１０の第２の帯域選択スイッチ４１９を通って受信システムの対応する入力に漏れ出し得る。したがって、第１の組のセルラー周波数帯の１つにおける送信信号の高調波コピーは、第２の組のセルラー周波数帯のうちの１つ（またはそのダウンリンクサブバンド）内にあり、受信システムの対応する入力においてノイズとして受信され得る。
【００５３】
したがって、パワーアンプシステムは、第２の帯域選択スイッチ４４２の１組の出力を、接地電位に結合されるパワーアンプモジュール４３０の接地端子にそれぞれ結合する１組のスイッチ４５１〜４５３を含む。スイッチ４５１〜４５３は、帯域選択信号に基づいてコントローラ４６０によって制御される。
【００５４】
コントローラ４６０は、多くのヒューリスティクスのいずれかを用いてスイッチ４５１〜４５３を制御し得る。いくつかの実装例では、コントローラ４６０は、（帯域選択信号によって示される）セルラー周波数帯の組を、スイッチ４５１〜４５３のどれが開かれどれが閉じられるかを示すスイッチパラメータに関連付けるルックアップテーブルに基づいてスイッチ４５１〜４５３を制御する。
【００５５】
帯域選択信号が第２の組のセルラー周波数帯の特定の１つを送信帯として示す場合、コントローラ４６０は対応するスイッチを開く。いくつかの実装例では、コントローラ４６０は他のスイッチのすべてを閉じる。いくつかの実装例では、コントローラ４６０は、第２の組のセルラー周波数帯のうちのいずれか１つを送信帯として示す帯域選択信号に応答して、スイッチ４５１〜４５３のすべてを開く。
【００５６】
いくつかの実装例では、帯域選択信号が第２の組のセルラー周波数帯の特定の１つを送信帯ではなく受信帯として示す場合、コントローラ４６０は対応するスイッチを閉じる。いくつかの実装例では、帯域選択信号が第２の組のセルラー周波数帯の特定の１つ（またはそのダウンリンクサブバンド）内にある（または十分に近い）高調波を有する第１の組のセルラー周波数帯の特定の１つも送信帯として示す場合にのみ、コントローラ４６０は対応するスイッチを閉じる。
【００５７】
図５は、いくつかの実施形態において、無線通信構成５００が複数のセルラープロトコルをサポートするマルチモードパワーアンプモジュール５３０を含むことを示す。無線通信構成５００はさらに、多重システム５１０、第１のアンテナ１１５、および第２のアンテナ１２５を含む。
【００５８】
（図１のトランスミッタシステム１３２などのトランスミッタシステムの一部として実装され得る）パワーアンプモジュール５３０は、パッケージング基板５０１上に実装された複数のコンポーネントおよびパワーアンプシステムを収容するように構成されたパッケージング基板５０１を含む。パワーアンプシステムは、コントローラ５６０によって制御される第１のパワーアンプ５３１、第２のパワーアンプ５３２、第３のパワーアンプ５３３、および第４のパワーアンプ５３４を含む。各パワーアンプ５３１〜５３４は、コントローラ５６０によって有効にされると、パワーアンプの入力において受信した信号を増幅した信号をパワーアンプの出力において提供するように構成される。コントローラ５６０は、受信した帯域選択信号に基づいてパワーアンプ５３１〜５３４を有効にするかまたは無効にする。
【００５９】
いくつかの実装例では、第１のパワーアンプ５３１は、３Ｇ／４ＧまたはＵＭＴＳ通信のための１組の低域セルラー周波数帯（たとえばおよそ１０００ＭＨｚ未満のセルラー周波数帯）などの第１のセルラープロトコルについて第１の組のセルラー周波数帯のうちのいずれかにおいて信号を増幅するように構成され、第２のパワーアンプ５３２は、３Ｇ／４ＧまたはＵＭＴＳ通信のための１組の高域セルラー周波数帯（たとえばおよそ１４００ＭＨｚを上回るセルラー周波数帯）などの第１のセルラープロトコルについて第２の組のセルラー周波数帯のうちのいずれかにおいて信号を増幅するように構成される。例として、第１の組のセルラー周波数帯は、ＵＭＴＳバンド５，８および１２（または１２のサブセットである１７）のうち１つ以上を含むことができ、第２の組のセルラー周波数帯は、ＵＭＴＳバンド１，２および４のうち１つ以上を含むことができる。
【００６０】
いくつかの実装例では、第３のパワーアンプ５３３は、２ＧまたはＧＳＭ（グローバルシステム・フォー・モバイル・コミュニケーションズ）通信のための低域周波数帯などの第２のセルラープロトコルについて第３のセルラー周波数帯において信号を増幅するように構成され、第４のパワーアンプ５３４は、２ＧまたはＧＳＭ通信のための高域周波数帯などの第２のセルラープロトコルについて第４のセルラー周波数帯において信号を増幅するように構成される。例として、第３のセルラー周波数帯はＧＳＭ−８５０を含むことができ、第４のセルラー周波数帯はＧＳＭ−１９００を含むことができる。いくつかの実装例では、第３のセルラー周波数帯は、第１の組のセルラー周波数帯のうちの１つと一致し得、かつ／または第４のセルラー周波数帯は、第２の組のセルラー周波数帯のうちの１つと一致し得る。
【００６１】
パワーアンプシステムは、第１のパワーアンプ５３１の出力に結合された第１の帯域選択スイッチ５４１と、第２のパワーアンプ５３２の出力に結合された第２の帯域選択スイッチ５４２とを含む。帯域選択スイッチ５４１，５４２の各々は、コントローラ５６０からの信号に基づいて、すなわちひいては帯域選択信号に基づいて、セルラー周波数帯の組のうちの１つに対応するパワーアンプモジュール５３０の複数の出力端子に受信信号をル
ーティングする単極多投（ＳＰＭＴ）のスイッチとして実装され得る。第３のパワーアンプ５３３および第４のパワーアンプ５３４の出力は、帯域選択スイッチを通過することなく、第３のセルラー周波数帯および第４のセルラー周波数帯に対応するパワーアンプモジュール５３０の出力端子にそれぞれ結合される。いくつかの実装例では、第３のパワーアンプ５３３および第４のパワーアンプ５３４の出力は、それぞれの帯域通過フィルタを通って、第３のセルラー周波数帯および第４のセルラー周波数帯に対応するパワーアンプモジュール５３０の出力端子にそれぞれ結合される。
【００６２】
多重システム５１０は、同様に、パワーアンプモジュール５３０の出力をアンテナ１１５，１２５にルーティングするための第１の帯域選択スイッチ５１８および第２の帯域選択スイッチ５１９を含む。帯域選択スイッチ５１８，５１９は、帯域選択信号に基づいてコントローラ５６０または別のコントローラによって制御され得る。多重システム５１０は、アンテナ１１５，１２５から受信システム（図示せず）に信号をルーティングするための多くのデュプレクサ５１１，５１２，５１５，５１６を含む。多重システム５１０は、第１の帯域選択スイッチ５１８と（第３のパワーアンプ５３３に結合された）第３のセルラー周波数帯に対応する入力との間に配置された低域フィルタ５１３を含み、第２の帯域選択スイッチ５１９と（第４のパワーアンプ５３４に結合された）第４のセルラー周波数帯に対応する入力との間に配置された低域フィルタ５１４を含む。
【００６３】
第２の組のセルラー周波数帯のうち１つ以上における１つ以上の意図しない信号は、第２の帯域選択スイッチ５４２に結合されたパワーアンプモジュール５３０の出力端子または第４のパワーアンプ５３４に結合されたパワーアンプモジュール５３０の出力端子を介して送信され得る。いくつかの実装例では、少なくとも部分的にアンプの非線形性により、第１のパワーアンプ５３１は、送信信号を増幅した信号に加えて、送信信号のセルラー帯域の倍数において送信信号の高調波コピーを出力し得る。（高調波コピーを含む）第１のパワーアンプ５３１の出力は、パワーアンプモジュール５３０の他のコンポーネントと結合し、第２の帯域選択スイッチ５４２に結合されたパワーアンプモジュール５３０の出力端子のうち１つ以上または第４のパワーアンプ５３４に結合されたパワーアンプモジュール５３０の出力端子から漏れ出し得る。
【００６４】
第２の帯域選択スイッチ５４２に結合されたパワーアンプモジュール５３０の出力端子のうちの１つ以上からの漏れ信号は、（たとえば経路５９１に示されるように）多重システム５１０に伝播し、多重システム５１０の第２の帯域選択スイッチ５１９に結合されたデュプレクサ５１５，５１６の一方を通って受信システムの対応する入力に漏れ出し得る。第４のパワーアンプ５３４に結合されたパワーアンプモジュール５３０の出力端子からの漏れ信号は、（たとえば経路５９２に示されるように）多重システム５１０に伝播し、多重システム５１０の第２の帯域選択スイッチ５１９を通って受信システムの対応する入力に漏れ出し得る。したがって、第１の組のセルラー周波数帯の１つにおける送信信号の高調波コピーは、第２の組のセルラー周波数帯の１つ（またはそのダウンリンクサブバンド）内にあり、受信システムの対応する入力においてノイズとして受信され得る。
【００６５】
したがって、パワーアンプシステムは、第４のパワーアンプ５３４の出力および第２の帯域選択スイッチ５４２の出力を、接地電位に結合されたパワーアンプモジュール５３０の接地端子に選択的に結合するように構成された１組のスイッチ５５１〜５５３を含む。スイッチ５５１〜５５３は、上記のように帯域選択信号に基づいてコントローラ５６０によって制御される。
【００６６】
図６は、いくつかの実施形態において、無線通信構成６００が帯域選択スイッチ５４２および１つ以上の高調波漏れ減少スイッチ５５１〜５５３を含むスイッチングモジュール６７０を有するパワーアンプモジュール６３０を含むことを示す。無線通信構成６００は
さらに、図５を参照して上記したように、多重システム５１０、第１のアンテナ１１５、および第２のアンテナ１２５を含む。
【００６７】
（図１のトランスミッタシステム１３２などのトランスミッタシステムの一部として実装され得る）パワーアンプモジュール６３０は、パッケージング基板６０１上に実装された複数のコンポーネントおよびパワーアンプシステムを収容するように構成されたパッケージング基板６０１を含む。図５を参照して上記したように、パワーアンプシステムは、第１のパワーアンプ５３１、第２のパワーアンプ５３２、第３のパワーアンプ５３３、および第４のパワーアンプ５３４を含む。コントローラ６６０は、受信した帯域選択信号に基づいてパワーアンプ５３１〜５３４を有効にするかまたは無効にする。
【００６８】
パワーアンプシステムは、図５を参照して上記したように、第１のパワーアンプ５３１の出力に結合された第１の帯域選択スイッチ５４１と、第２のパワーアンプ５３２の出力に結合された第２の帯域選択スイッチ５４２とを含む。同様に、パワーアンプシステムは、第４のパワーアンプ５３４の出力および第２の帯域選択スイッチ５４２の出力を、接地電位に結合されたパワーアンプモジュール６３０の接地端子にそれぞれ結合する１組のスイッチ５５１〜５５３を含む。
【００６９】
第２の帯域選択スイッチ５４２およびスイッチ５５１〜５５３は、スイッチングモジュール６７０に一体化される。スイッチングモジュール６７０は、たとえば単一のチップまたはダイであり得、スイッチングモジュール６７０のスイッチング機能を果たすように配置された複数のトランジスタを含み得る。
【００７０】
スイッチングモジュール６７０は、第２のパワーアンプ５３２に結合されたデータ入力端子、第４のパワーアンプ５３４の出力に結合されたシャント入力端子、およびコントローラ６６０に結合された制御入力端子を有する。いくつかの実装例では、制御入力端子は複数の制御端子を含む。制御入力端子を介してコントローラ６６０から受信した信号に基づいて（すなわち、ひいては帯域選択信号に基づいて）、スイッチングモジュール６７０は、第２の帯域選択スイッチ５４２および高調波漏れ減少スイッチ５５１〜５５３を切り替え、場合によっては、データ入力端子を複数のデータ出力端子の１つおよび／または接地端子に結合し、かつ場合によってはシャント入力端子を接地端子に結合する。
【００７１】
図６に示されるように、第１のスイッチ５５１は、スイッチングモジュール６７０のシャント入力端子とスイッチングモジュール６７０の接地端子との間に結合される。第２のスイッチ５５２および第３のスイッチ５５３は、帯域選択スイッチ５４２のそれぞれの出力とスイッチングモジュール６７０の接地端子との間に結合される。
【００７２】
図７は、いくつかの実施形態において、無線通信構成（たとえば図１〜図６に示されるもののいくつかまたはすべて）を１つのモジュールに完全にまたは部分的に実装することができることを示す。そのようなモジュールは、たとえばフロントエンドモジュール（ＦＥＭ）であり得る。図７の例では、モジュール７００はパッケージング基板７０２を含むことができ、多くのコンポーネントがそのようなパッケージング基板７０２上に搭載されることができる。たとえば、ＦＥ−ＰＭＩＣコンポーネント７０４、パワーアンプアセンブリ７０６、整合コンポーネント７０８、およびマルチプレクサアセンブリ７１０は、パッケージング基板７０２上にかつ／またはパッケージング基板７０２内に、搭載および／または実装されることができる。パワーアンプアセンブリ７０６は、使用されない送信帯経路の出力を接地に結合する１つ以上の高調波漏れ減少スイッチ７０７を含み得る。多くのＳＭＴ装置７１４およびアンテナスイッチモジュール（ＡＳＭ）７１２などの他のコンポーネントも、パッケージング基板７０２上に搭載されることができる。様々なコンポーネントのすべてがパッケージング基板７０２上にレイアウトされるものとして表されてい
るが、いくつかのコンポーネントは他のコンポーネント上に実装されることができることが理解されるであろう。
【００７３】
いくつかの実装例において、本願明細書に記載される１つ以上の特徴を有する装置および／または回路は、無線装置などのＲＦ電子装置に含まれることができる。そのような装置および／または回路は、本明細書に記載されるようにモジュールの形態で、またはその何らかの組合せで、無線装置において直接実装されることができる。いくつかの実施形態において、そのような無線装置は、たとえば、携帯電話、スマートフォン、電話機能の有無に関わらず携帯型無線装置、無線タブレットなどを含むことができる。
【００７４】
図８は、本願明細書に記載される１つ以上の有利な特徴を有する無線装置例８００を表す。本願明細書に記載される１つ以上の有利な特徴を有するモジュールの文脈では、そのようなモジュールは、概して破線のボックス７００によって表すことができ、たとえばフロントエンドモジュール（ＦＥＭ）として実装されることができる。
【００７５】
図８を参照して、パワーアンプ（ＰＡ）８２０は、増幅され、送信されるべきＲＦ信号を生成し、受信した信号を処理するための既知のやり方で構成され、動作させることができるトランシーバ８１０からそれぞれのＲＦ信号を受信することができる。トランシーバ８１０は、ユーザに好適なデータおよび／または音声信号とトランシーバ８１０に好適な信号との間の変換をもたらすように構成されるベースバンドサブシステム８０８と相互作用するものとして示される。トランシーバ８１０は、無線装置８００の動作のためのパワーを管理するように構成されるパワー管理コンポーネント８０６と通信するものとしても示される。そのようなパワー管理は、ベースバンドサブシステム８０８とモジュール７００との動作を制御することもできる。
【００７６】
ベースバンドサブシステム８０８は、ユーザに提供され、ユーザから受信された音声および／またはデータの様々な入力および出力を容易にするユーザインターフェイス８０２に接続されるものとして示される。ベースバンドサブシステム８０８は、無線装置の動作を容易にするためのデータおよび／または命令を格納し、かつ／または情報の格納をユーザに提供するように構成されるメモリ８０４に接続することもできる。
【００７７】
無線装置８００の例において、ＰＡ８２０の出力は、（それぞれの整合回路８２２を介して）マッチングされ、それぞれのデュプレクサ８２４にルーティングされるものとして示される。そのような増幅されフィルタリングされた信号は、送信のためにアンテナスイッチ８１４を通ってアンテナ８１６（または複数のアンテナ）にルーティングされることができる。いくつかの実施形態では、デュプレクサ８２４は、共有アンテナ（たとえば８１６）を用いて送信動作および受信動作が同時に行われることを可能にする。図８では、受信信号は、たとえば、低ノイズアンプ（ＬＮＡ）を含むことができる「Ｒｘ」経路（図示せず）にルーティングされるものとして示される。
【００７８】
多くの他の無線装置構成は、本明細書に記載される１つ以上の特徴を利用することができる。たとえば、無線装置はマルチバンド装置である必要はない。別の例では、無線装置は、ダイバーシティアンテナといった追加的なアンテナと、Ｗｉ−Ｆｉ（登録商標）、Ｂｌｕｅｔｏｏｔｈ（登録商標）およびＧＰＳといった追加的な接続性機能とを含むことができる。
【００７９】
本願明細書に記載されるように、本開示の１つ以上の特徴は、図８の無線装置を伴うものなどのシステムに実装されると多くの利点をもたらすことができる。たとえば、デュプレクサではなくダイプレクサを使用すると、パワーアンプとアンテナとの間の信号経路損失が低下し得、費用、寸法および発熱が減少し、電池寿命が延びる。
【００８０】
本開示の１つ以上の特徴は、本願明細書に記載される様々なセルラー周波数帯で実装されることができる。そのような帯域の例は表１に挙げられる。当該帯域の少なくともいくつかをサブバンドに分割することができることが理解されるであろう。本開示の１つ以上の特徴は、表１の例などの指定を有さない周波数範囲で実施されることができることも理解されるであろう。本願明細書で使用される限りにおいて、ＲＦ信号は、表１に挙げた周波数帯のうちの任意の１つ内の信号を指すものとして用いることができる。
【００８１】
【表１】
2020039173.tif 000003
【００８２】
文脈から明らかに別段の要求がある場合を除き、明細書および請求項を通して「備える」等の用語は、排他的または網羅的という意味とは逆に、包括的という意味で、すなわち「含むがそれに限定されない」という意味で解釈されるべきものである。本明細書において一般的に使用される「結合される」という用語は、２つ以上の要素が直接接続されるかまたは１つ以上の中間要素を介して接続され得ることを意味する。加えて、「本明細書」、「上記」、「下記」という用語および同様の趣旨の用語は、本願において使用する場合、この出願全体を指しておりこの出願の特定の部分を指しているのではない。文脈によっては、本開示における単数形または複数形を用いた用語はそれぞれ複数または単数の場合も含み得る。２つ以上のアイテムのリストに関する「または」という用語は、このリスト内のアイテムのうちのいずれか、このリスト内のアイテムすべて、およびこのリスト内のアイテムの任意の組合せという解釈すべてを含む。
【００８３】
実施形態の上記の詳細な説明は、網羅的であるもの、または上に開示した形態そのものに本発明を限定することは意図されない。例示的な目的で具体的な実施形態および例を上記しているが、当業者が認識することになるように、開示の範囲内で様々な同等な変更が可能である。たとえば、処理またはブロックは所与の順序で示されるが、代替的な実施形態は、異なる順序で工程を有するルーチンを行うかまたはブロックを有するシステムを採用し得、いくつかの処理またはブロックは、削除され、移動され、追加され、細別され、組合され、かつ／または変更され得る。これらの処理またはブロックの各々はさまざまな異なるやり方で実施され得る。また、処理またはブロックは連続して行われるものとして示されることもあるが、これらの処理またはブロックは、その代りに、並行して行われてもよいし、異なる時に行われてもよい。
【００８４】
本願明細書において提示される教示は他のシステムに適用することができ、上記のシステムに必ずしも限定されない。上記の様々な実施形態の要素および動作は、さらなる実施形態を提供するために組合せることができる。
【００８５】
いくつかの実施形態について記載したが、これらの実施形態は例としてのみ示されており、開示の範囲を限定するものとは意図されていない。実際は、明細書に記載の新しい方法およびシステムは、他のさまざまな形態で具体化され得る。さらに、本明細書に記載の方法およびシステムの形態についてのさまざまな省略、置換え、および変更は、本開示の精神から逸脱することなく行ない得る。以下の請求項およびその均等物は、本開示の範囲および精神に属するこのような形態または変形を包含することを意図している。
【符号の説明】
【００８６】
１１５，１２５  アンテナ、２０１  多重システム、２３０  パワーアンプシステム、２１１  第１のパワーアンプ、２１２  第２のパワーアンプ、２１０  パワーアンプコントローラ、２２０  スイッチコントローラ、２２１  スイッチ、２５１  第１のデュプレクサ、２５２  第２のデュプレクサ、２９９  経路。
【図１】
2020039173.tif 000004
【図２】
2020039173.tif 000005
【図３】
2020039173.tif 000006
【図４】
2020039173.tif 000007
【図５】
2020039173.tif 000008
【図６】
2020039173.tif 000009
【図７】
2020039173.tif 000010
【図８】
2020039173.tif 000011
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
無線通信構成であって、
第１の周波数帯において信号を増幅するように構成された第１のパワーアンプおよび第２の周波数帯において信号を増幅するように構成された第２のパワーアンプを含むパワーアンプシステムと、
前記第１のパワーアンプおよび第１のアンテナポートに結合された第１のデュプレクサを含み、さらに、前記第２のパワーアンプおよび第２のアンテナポートに結合された第２のデュプレクサを含む多重システムと、
前記第２のパワーアンプを前記第２のデュプレクサに選択的に結合するように構成された高調波漏れスイッチと、
帯域選択信号を受信するように構成されるとともに前記帯域選択信号に応答して、前記第２のデュプレクサから前記第２のパワーアンプを切り離すように前記高調波漏れスイッチを動作させるように構成されたコントローラとを備え、前記帯域選択信号は、１）前記第２の周波数帯が、送信帯ではなく受信帯であること、および２）前記第１の周波数帯が送信帯であり、前記第１の周波数帯が、前記第２の周波数帯に存在する少なくとも１つの高調波を有する、ことを示す、無線通信構成。
【請求項２】
前記第１のアンテナポートに結合された第１のアンテナをさらに備える、請求項１に記載の無線通信構成。
【請求項３】
前記第２のアンテナポートに結合された第２のアンテナをさらに備える、請求項２に記載の無線通信構成。
【請求項４】
前記第２のアンテナポートは前記第１のアンテナに結合される、請求項２に記載の無線通信構成。
【請求項５】
前記高調波漏れスイッチは、スイッチングモジュールに一体化される、請求項１に記載の無線通信構成。
【請求項６】
前記スイッチングモジュールは単一のチップを含む、請求項５に記載の無線通信構成。
【請求項７】
前記コントローラは、前記少なくとも１つの高調波が前記第２の周波数帯のダウンリンクサブバンド内に存在することを示す前記帯域選択信号に応答して、前記第２のパワーアンプを前記第２のデュプレクサから切り離すように構成される、請求項１に記載の無線通信構成。
【請求項８】
受信システムをさらに備え、前記第１のデュプレクサは、受信システムの第１の入力に結合され、前記第２のデュプレクサは、さらに、前記受信システムの第２の入力に結合される、請求項１に記載の無線通信構成。
【請求項９】
前記第１の周波数帯はユニバーサル・モバイル・テレコミュニケーションズ・システム（ＵＭＴＳ）バンド１７を含み、前記第２の周波数帯はＵＭＴＳバンド４を含む、請求項１に記載の無線通信構成。
【請求項１０】
前記第１の周波数帯はユニバーサル・モバイル・テレコミュニケーションズ・システム（ＵＭＴＳ）バンド１７を含み、前記第２の周波数帯はグローバルシステム・フォー・モバイル・コミュニケーションズ（ＧＳＭ）バンド１９００を含む、請求項１に記載の無線通信構成。
【請求項１１】
無線通信装置において高調波漏れを減少させるための方法であって、
第１のパワーアンプを用いて、第１の周波数帯における信号を増幅することと、
第２のパワーアンプを用いて、第２の周波数帯における信号を増幅することと、
前記第１の周波数帯において増幅された信号を、前記第１のパワーアンプから、第１のデュプレクサを通して第１のアンテナポートに向けることと、
前記第２の周波数帯において増幅された信号を、前記第２のパワーアンプから、第２のデュプレクサを通して第２のアンテナポートに向けることと、
帯域選択信号に応答して、前記第２のデュプレクサから前記第２のパワーアンプを切り離すこととを備え、前記帯域選択信号は、１）前記第２の周波数帯が、送信帯ではなく受信帯であること、および２）前記第１の周波数帯が送信帯であり、前記第１の周波数帯が、前記第２の周波数帯に存在する少なくとも１つの高調波を有する、ことを示す、方法。
【請求項１２】
前記第１のアンテナポートにおいて信号を受信して、前記受信した信号を前記第１のデュプレクサを通して受信システムの第１の入力に向けることを更に備える、請求項１１に記載の方法。
【請求項１３】
前記第２のアンテナポートにおいて信号を受信して、前記受信した信号を前記第２のデュプレクサを通して前記受信システムの第２の入力に向けることを更に備える、請求項１２に記載の方法。
【請求項１４】
前記第２のデュプレクサから前記第２のパワーアンプを切り離すことは、前記受信システムへの高調波漏れを減少させる、請求項１３に記載の方法。
【請求項１５】
前記第２のデュプレクサから前記第２のパワーアンプを切り離すことは、前記少なくとも１つの高調波が前記第２の周波数帯のダウンリンクサブバンド内に存在することを示す前記帯域選択信号に応答する、請求項１１に記載の方法。
【請求項１６】
第１のアンテナで受信した信号を前記第１のアンテナポートに向けることをさらに備える、請求項１１に記載の方法。
【請求項１７】
第２のアンテナで受信した信号を前記第２のアンテナポートに向けることをさらに備える、請求項１６に記載の方法。
【請求項１８】
前記第１のアンテナで受信した信号を前記第２のアンテナポートに向けることをさらに備える、請求項１６に記載の方法。
【請求項１９】
前記第１の周波数帯はユニバーサル・モバイル・テレコミュニケーションズ・システム（ＵＭＴＳ）バンド１７を含み、前記第２の周波数帯はＵＭＴＳバンド４を含む、請求項１１に記載の方法。
【請求項２０】
前記第１の周波数帯はユニバーサル・モバイル・テレコミュニケーションズ・システム（ＵＭＴＳ）バンド１７を含み、前記第２の周波数帯はグローバルシステム・フォー・モバイル・コミュニケーションズ（ＧＳＭ）バンド１９００を含む、請求項１１に記載の方法。
【外国語明細書】
2020039173000001.pdf